(57)【要約】本発明は、頭の下に敷いた状態でお休みまたは睡眠をとる中に自動的に動かすことで、仰向けに横になる姿勢を自然に保たせる頚椎自動調節運動機に関する。本発明に係る頚椎自動調節運動機は、レールアセンブリ；前記レールアセンブリに挿入されてスライド移動するローラ部を含む揺動パネル；及び前記揺動パネルの上面に装着結合され、ユーザの首と頭が載置される受け本体部；を含み、上部頚椎部の動きを内部で作って矯正する効果があって首の整列とバランスが自動的に得られるように誘導することができるうえ、頭部、頚椎部、上部胸椎部の整列及びバランス運動が自ずと起こるようにする。【選択図】図１
2020519424.tif 000002
【特許請求の範囲】
【請求項１】
両側に複数の結合孔が穿設され、湾曲構造を有し、第１ガイドレール溝が設けられた第１レールと、両側に複数の結合孔が穿設され、湾曲構造を有し、第２ガイドレール溝が設けられた第２レールと、両端にネジ山付き締結孔が穿設され、前記結合孔に結合されて前記第１レールと前記第２レールとを結合させる少なくとも一つの連結支持棒、及び前記連結支持棒の両端の締結孔に挿入されて結合される固定ボルトを有する連結部材とを含むレールアセンブリ；
一面に長さ方向に突設された少なくも一つのスライド突起部と、前記スライド突起部に固定され、前記レールアセンブリの第１ガイドレール溝及び第２ガイドレール溝にそれぞれ挿入されてスライド移動するローラ部とを含む揺動パネル；及び
前記揺動パネルの上面に装着結合され、ユーザの首及び頭が載置される受け本体部；を含む、頸椎自動調節運動機。
【請求項２】
前記第１レールは、複数の結合孔が穿設され、一面に第１ガイド突起が長さ方向に突設された湾曲形状の第１レールフレームと、前記第１レールフレームと対応する位置に複数の結合孔が穿設され、第２ガイド突起が長さ方向に突設された湾曲形状の第２レールフレームとを含み、前記第１レールフレームと前記第２レールフレームとを結合させて第１ガイドレール溝を形成することを特徴とし、
前記第２レールは、複数の結合孔が穿設され、一面に第３ガイド突起が長さ方向に突設された湾曲形状の第３レールフレームと、前記第３レールフレームと対応する位置に複数の結合孔が穿設され、第４ガイド突起が長さ方向に突設された湾曲形状の第４レールフレームとを含み、前記第３レールフレームと前記第４レールフレームとを結合させて第２ガイドレール溝を形成することを特徴とする、請求項１に記載の頸椎自動調節運動機。
【請求項３】
前記連結支持棒の外周面を包んで収容する緩衝部材をさらに含むことを特徴とする、請求項１に記載の頸椎自動調節運動機。
【請求項４】
前記受け本体部は、ユーザの首を支持する首支持部、及びユーザの頭が載置される頭載置部を含み、首支持部から頭載置部へ行くほど幅が広くなる構造を持つことを特徴とする、請求項１に記載の頸椎自動調節運動機。
【請求項５】
前記首支持部は、内面に複数の加圧突起がさらに備えられてユーザの首を加圧することを特徴とする、請求項４に記載の頸椎自動調節運動機。
【発明の詳細な説明】
【技術分野】
【０００１】
本発明は、頭の下に敷いた状態でお休みまたは睡眠をとる中に自動的に動かすことで、正しく横になる姿勢を自然に保たせる頚椎自動調節運動機に関する。
【背景技術】
【０００２】
人体における頸椎は、脊椎における胸椎の上部分であって、頭を支持する７節の頚椎骨からなり、上体と頭とをつなぐ役割を果たし、約１０ｋｇ位の重量を有する頭を支え身体上部の荷重を分散させて人体の直立構造を保つようにする人体の主要部分である。
【０００３】
最近、現代人は、コンピュータで業務を処理するので、位置の固定されたモニターを長時間注視しなければならず、スマートフォンの普及が拡散することにより、会社員だけでなく、一般学生や主婦も頚部痛（ｎｅｃｋ  ｐａｉｎ）に苦しむケースが増加する傾向にある。
【０００４】
特に、頚部痛を誘発する、いわゆるストレートネック（またはカメの首）は、モニターやスマートフォンをもっと近くに見るために首を前方に傾けた姿勢や、首に携帯電話などをぶら下げて通う行動などを長時間繰り返し行う場合に多く発生するが、ストレートネックは、首の骨の変形に止まらず、全体的な体型を猫背に変化させ、これにより、首の骨以外の他の関節と筋肉に無理を与えるようになり、さまざまな脊椎疾患、例えば頚部痛、首ディスク、頭痛、脊椎側湾症などを誘発する原因としても作用し、身体の動きに対する感覚が狂ったり、不正確な情報を提供して円滑な運動機能の発現を妨害したりする。
【０００５】
人体は、臓器も完全な対称ではないが、左右対称をなしてバランスが保たれているので、不均衡な姿勢を長時間取ると、脊椎や骨盤、首、肩、内臓系のバランス及び整列がずれるが、前記頚部痛は、主に間違った姿勢や運動パターンによって発生することが知られている。頚部痛を経験する患者は、健常者に比べて特定の筋肉が短くなっているか弱化されており、ひどい場合には、首の骨の形がＣ字状の正常なアーチを描かず、前方に傾けたストレートネック（カメの首）の形態をなしていることが知られている。
【０００６】
このような疾患は、頚椎の安定な姿勢を保たせて予防または改善することが非常に重要であり、これにより、顎を内方に押す顎引き締め（ｃｈｉｎ  ｉｎ  ｅｘｅｒｃｉｓｅ）、首の左右、角度回転運動などのように頚椎を本来の正しい形に戻すための矯正（リハビリ）運動が要求されており、頚部痛を軽減するか或いは頚椎の姿勢を調節してリハビリするための様々な器具または装置が開発されている。
【０００７】
しかし、従来の頚椎矯正器や頚椎プロテクターの場合には、単に首の周りを包み込む形で首の動きだけを制限させて、首の骨の動き範囲が制限的であるため、頚椎保護効果がやや落ちるという問題点がある。
【０００８】
前述した問題点を解決するために、韓国登録実用新案第２０−０４８３４６９号には、内面にガイド溝が設けられた半円筒状の揺動パネルと、半円筒状の枕支え本体と、枕支え本体の外面に設置され、ガイド溝に挿入されてスライド移動するローラ部と、枕支え本体の外面に設置され、他のガイド溝に挿入されてスライド移動するローラ部を含む枕支え部と、枕支え本体の内面に結合され、ユーザの首を支持する首支持部、及びユーザの頭が装着される頭装着部からなる枕本体を含み、ユーザの頚椎を安定的に保護しながらもユーザが安眠を取ることができるように助ける枕に関する内容が開示されている。
【０００９】
しかし、前述した枕は、枕支え本体にそれぞれ備えられたローラ部がそれぞれガイド溝に挿入される構造で構成され、スライド移動がスムーズではないため、睡眠の際にユーザの姿勢を正しく矯正する効果が微々たるものであり、破損の際にそれぞれの部品の交換が難しい構造を持っているだけでなく、重量が重いという欠点があり、これを補完することができる方法についての研究が求められる。
【発明の概要】
【発明が解決しようとする課題】
【００１０】
本発明は、かかる従来技術の問題点を解決するために案出されたもので、その目的は、スムーズなスライド移動が可能であって、お休みまたは睡眠をとる中に頭部、頚椎部及び上部胸椎部の整列及びバランスが保たれるようにして、自動的に左右対称のバランスを取る姿勢に自然に矯正されるようにし、これにより、神経系、筋骨格系、内蔵系の適切な神経反射調節効果を示すように誘導する頚椎自動調節運動機を提供することにある。
【課題を解決するための手段】
【００１１】
上記の技術的課題を達成するために、本発明は、両側に複数の結合孔が穿設され、湾曲構造を有し、第１ガイドレール溝が設けられた第１レールと、両側に複数の結合孔が穿設され、湾曲構造を有し、第２ガイドレール溝が設けられた第２レールと、両端にネジ山付き締結孔が穿設され、前記結合孔に結合されて前記第１レールと前記第２レールとを結合させる少なくとも一つの連結支持棒、及び前記連結支持棒の両端の締結孔に挿入されて結合される固定ボルトを有する連結部材とを含むレールアセンブリ；一面に長さ方向に突設された少なくも一つのスライド突起部、前記スライド突起部に固定され、前記レールアセンブリの第１ガイドレール溝及び第２ガイドレール溝にそれぞれ挿入されてスライド移動する少なくも１つのローラ部を含む揺動パネル；及び前記揺動パネルの上面に装着結合され、ユーザの首及び頭が載置される受け本体部；を含む、頸椎自動調節運動機を提供する。
【００１２】
本発明の好適な一実施形態において、前記第１レールは、複数の結合孔が穿設され、一面に第１ガイド突起が長さ方向に突設された湾曲形状の第１レールフレームと、前記第１レールフレームと対応する位置に複数の結合孔が穿設され、第２ガイド突起が長さ方向に突設された湾曲形状の第２レールフレームとを含み、前記第１レールフレームと前記第２レールフレームとを結合させて第１ガイドレール溝を形成することを特徴とし、前記第２レールは、複数の結合孔が穿設され、一面に第３ガイド突起が長さ方向に突設された湾曲形状の第３レールフレームと、前記第３レールフレームと対応する位置に複数の結合孔が穿設され、第４ガイド突起が長さ方向に突設された湾曲形状の第４レールフレームとを含み、前記第３レールフレームと前記第４レールフレームとを結合させて第２ガイドレール溝を形成することを特徴とする。
【００１３】
また、前記頚椎自動調節運動機は、前記連結支持棒の外周面を包んで収容する緩衝部材をさらに含むことができる。
【００１４】
本発明の好適な一実施形態によって、前記受け本体部は、ユーザの首を支持する首支持部、及びユーザの頭が載置される頭載置部を含み、首支持部から頭載置部へ行くほど幅が広くなる構造を持つことができる。
また、前記頚椎自動調節運動機に備えられる首支持部は、内面に複数の加圧突起がさらに備えられてユーザの首を加圧する構造を形成することができる。
【発明の効果】
【００１５】
本発明に係る頸椎自動調節運動機は、上部頚椎部の動きを内部で作って矯正する効果があり、首の整列及びバランスが自動的に得られるように誘導することができるだけでなく、頭部、頚椎部、上部胸椎部の整列及びバランス運動が自ずと起こるようにする。
【００１６】
前記揺動パネルは、半円形状、Ｕ字状またはＣ字状などの湾曲構造をなしており、ユーザの頭と首が左右に回転するときにも頭が揺動パネル上から脱落しなくなり、ユーザが安定な姿勢を取るようにすることができるのみならず、床に接触する部分は面の狭い直線の形状を成しており、頭に接触する部分は頭の形に合わせてやや丸い曲線の形状を成しているため、後頭部の基底部を適切に圧迫する効果があり、後頭部の中心線全体を圧迫して頭蓋仙骨リズムを好転させ、自律神経系と中枢新軽系が活動できるようにする物理的な環境を提供し、筋骨格系の回復力を助ける。
【００１７】
特に、前記後頭部にある線維は、筋骨格系と内蔵系に問題があるときに神経反射作用によって反応が現れる部位であって、本発明による頚椎自動調節運動機は、後頭部にある線維を著しく刺激することができるため、睡眠中またはお休み中でも神経系、筋骨格系、内蔵系の適切な神経反射調節効果を得ることができる。
また、前記受け本体部は、ユーザの首が載置される首支持部からユーザの頭が載置される頭載置部へ行くほど幅が広くなる構造を持つことにより、下部に位置する揺動パネルが首と頭のバランスが取れていない動きを自動的に矯正し、２次的に上部頸椎部の動きを揺動パネルで矯正することにより、首の整列とバランスが自動的に得られるようになり、頭部、頚椎部、上部胸椎部の整列およびバランス運動も自ずと起こるようにし、使用中に呼吸をスムーズにするシステム構造を形成することができる。
【００１８】
上述したような頚椎自動調節運動機は、平らな床やベッドの上に位置させ、揺動パネル上に受け本体部の頭載置部を頭側に向くように装着し、首と肩の間が広がらないように頸椎自動調節運動機を引いて、まるで枕を頭の下に敷くかの如く自然に受け本体部に頭を載置させ、楽にお休みまたは睡眠を取るようにして使用することができる。
【図面の簡単な説明】
【００１９】
【図１】本発明の好適な一実施形態に係る頸椎自動調節運動機１０を示す分解斜視図である。
【図２】本発明の一実施形態に係る受け本体部を示す（ａ）上面図及び（ｂ）側面図である。
【図３】本発明の好適な一実施形態に係るレールアセンブリ１００’が備えられた頸椎自動調節運動機１０’を示す分解斜視図である。
【発明を実施するための形態】
【００２０】
以下、添付図面を参照して本発明の好適な実施形態を詳細に説明する。
本発明の実施形態は、当該技術分野における通常の知識を有する者に本発明をさらに完全たるものに説明するために提供されるものであり、これらの実施形態は、さまざまな異なる形態に変形実施でき、本発明の範囲を限定するものではない。むしろ、これらの実施形態は、本開示をさらに充実かつ完全たるものにし、当業者に本発明の思想を完全に伝達するために提供されるものである。
【００２１】
本明細書で使用された用語は、特定の実施形態を説明するために使用され、本発明を制限するものではない。本明細書で使用されているように、単数形は、文脈上異なる場合を明確に指摘するものではなければ、複数形を含むことができる。また、本明細書で使用される場合、「含む（ｃｏｍｐｒｉｓｅ）」および／または「包含する（ｃｏｍｐｒｉｓｉｎｇ）」は、明細書に記載された形状、数字、段階、動作、部材、要素又はそれらの組み合わせの存在を特定するものであり、１つ以上の他の特徴、数字、段階、動作、部材、要素又はそれらの組み合わせの存在又は付加の可能性を排除するものではない。本明細書で使用されているように、用語「および／または」は、該当列挙された項目のいずれか及び一つ以上のすべての組み合わせを含む。
【００２２】
本明細書において、第１、第２などの用語が様々な部材、領域および／または部位を説明するために使用されるが、これらの部材、部品、領域、層および／または部位は、これらの用語によって限定されないのは自明である。これらの用語は、特定の順序、上下または優劣を意味せず、一つの部材、領域または部位を他の部材、領域または部位と区別するためにのみ使用される。よって、以下、上述する第１部材、領域または部位は、本発明の思想から外れることなく、第２部材、領域または部位を指し示すことができる。
【００２３】
以下、本発明の実施形態は、本発明の実施形態を概略的に示す図を参照して説明する。図において、例えば、製造技術および／または公差に基づいて、図示された形状の変形が予想できる。よって、本発明の実施形態は、本明細書に図示された領域の特定の形状に制限されたものと解釈されてはならず、例えば、製造上における形状の変化を含まなければならない。
【００２４】
本発明に係る頸椎自動調節運動機は、お休みまたは睡眠を取る中に天井をまっすぐ見つめるように左右対称のバランスのとれた姿勢を自動的に保つように設計され、これにより、ユーザが前記運動機を着用して横になった状態で圧迫や不快さを感じて無意識のうちに体を捻る場合、揺動パネルと受け本体部が同時に自動的に動いて首のバランスを保つようにし、姿勢を整列することができる。
【００２５】
従って、本発明に係る頸椎自動調節運動機を使用する場合、ユーザが正しく横になる姿勢を自然に保つことができるため、長期間使用する場合に仰向けに眠る習慣を身につけるようにすることができる。
【００２６】
特に、本発明に係る頸椎自動調節運動機は、既存の開示された韓国登録実用新案第２０−０４８３４６９の枕が持つ欠点を補うために、お休みまたは睡眠を取る中にユーザが体を動く場合でもスムーズにスライド移動が可能な構造を形成するようにレールアセンブリを実現し、レールアセンブリを構成する各種構成要素をモジュール化して部品交換が容易な軽量の装置を実現することができるという利点を有する。
【００２７】
以下、本発明を詳細に説明する。
図１は本発明の好適な一実施形態に係る頸椎自動調節運動機１０を示す分解斜視図である。
図１を参照すると、本発明に係る頸椎自動調節運動機１０は、レールアセンブリ１００、揺動パネル２００及び受け本体部３００を含む。
【００２８】
前記レールアセンブリ１００は、第１レール１１０、第２レール１３０及び連結部材１５０を構成要素として含み、モジュール型に前記構成要素をそれぞれ結合させて形成することができる。
【００２９】
具体的には、第１レール１１０は、半円形状、Ｕ字状またはＣ字状などの湾曲構造を有し、両側に複数の結合孔１１５が穿設され、一面に第１ガイドレール溝１１９がそれぞれ設けられた構造を有する。
【００３０】
また、前記第２レール１３０は、前記第１レール１１０と対応する構造を有し、両側に複数の結合孔１３５が穿設され、一面に第２ガイドレール溝１３９がそれぞれ設けられた構造を有し、前述した第１レール１１０と結合して後述の揺動パネル２００及び受け本体部３００が所定の角度でスライド移動する軌道を形成することができる。
【００３１】
この時、前記第１レール１１０及び第２レール１３０は、一面に第１ガイドレール溝１１９及び第２ガイドレール溝１３９がそれぞれ設けられた湾曲構造の一体型フレーム部材を用いて形成させたものを使用することができ、好ましくは、半円形状を有する一体型フレーム部材を使用することができる。
【００３２】
前記第１レール１１０及び第２レール１３０は、連結部材１５０を用いて互いに結合されてレールアセンブリ１００を形成することができ、前記連結部材１５０は、複数の連結支持棒１５１と固定ボルト１５６を含む。
【００３３】
具体的には、前記連結支持棒１５１は、両端にねじ山付き締結孔１５２が穿設された構造の棒状構造物であって、前記第１レール１１０及び第２レール１３０の結合孔１１５、１３５にそれぞれ挿入され、前記第１レール１１０と前記第２レール１３０とを結合させる構造を形成することができる。前記連結支持棒１５１の両端に設けられた締結孔１５２には固定ボルト１５６が結合され、該固定ボルトが前記第１レール１１０と前記第２レール１３０とを結合させてレールアセンブリ１００を形成するようにし、前記連結支持棒１５１は２つ以上用いてレールアセンブリ１００を形成することができる。
【００３４】
本発明の好適な一実施形態によって、前記第１レール１１０及び第２レール１３０は、それぞれ両端及び中央に設けられた結合孔１１５、１３５が３つずつ備えられている構造を持つものを使用することがよく、これにより、３つの連結支持棒１５１を結合孔１１５、１３５に挿入してレールアセンブリ１００を形成するように構成することができる。
【００３５】
上述のように、第１レール１１０と第２レール１３０とを連結部材１５０を用いて結束して形成されるレールアセンブリ１００は、第１レール１１０及び第２レール１３０に設けられた第１ガイドレール溝１１９及び第２ガイドレール溝１３９に後述の揺動パネルのローラ部２１１、２３１が装着されるようにして、お休みまたは睡眠を取る中にユーザが体を動く場合でもスムーズにスライド移動が可能な構造を形成するようにレールアセンブリを実現し、レールアセンブリ１００を構成する各種構成要素をモジュール化して、部品交換が容易な軽量の装置を実現することができるという利点を有する。
【００３６】
前記レールアセンブリ１００をなす第１レール１１０、第２レール１３０及び連結部材１５０は、繊維強化プラスチックや強化プラスチックなどの高強度プラスチック、アルミニウム合金やマグネシウム合金などを含む軽量金属合金、一般金属合金などを素材として製造したものを使用することができる。好ましくは、前記第１レール１１０及び第２レール１３０は、強化プラスチックを素材として製造したものを使用するようにし、前記連結部材１５０は、軽量のアルミ合金などを素材として製造したものを使用するようにして、運動機１０の軽量化を達成することができるようにする。
【００３７】
特に、前記連結支持棒１５１は、外周面を包んで収容する緩衝部材１５４をさらに含むように構成することができ、前記緩衝部材１５４は、優れた弾性を有するスチレンブタジエンゴム（ＳＢＲ）、天然ゴム（ＮＲ）またはエチレンプロピレンゴム（ＥＰＤＭ）などの素材を用いて製造したものを使用することができる。
本発明に係る頸椎自動調節運動機１０に備えられる揺動パネル２００は、レールアセンブリ１００に結合されてスライド移動するようにする湾曲構造の板状部材であって、頭または首が移動すると、自動的にスムーズにスライドされる構造を形成することができるようにする。前記揺動パネル２００は、レールアセンブリ１００に結合できるように断面が半円形状、Ｕ字状またはＣ字状などの湾曲構造を有し、一面に長さ方向に突設された第１スライド突起部２１０及び第２スライド突起部２３０と、前記第１スライド突起部２１０及び第２スライド突起部２２０に固定され、前記レールアセンブリ１００の第１ガイドレール溝１１９及び第２ガイドレール溝１３９にそれぞれ挿入されてスライド移動するようにする少なくも２つのローラ部２１１、２３１とを含む構造を有する。
【００３８】
前記ローラ部２１１、２３１は、前記レールアセンブリ１００に装着される揺動パネル２００が所定の角度範囲内で両方向にスライド移動するように駆動力を提供する役割を果たし、これにより、ユーザが頚椎自動調節運動機１０を着用して横になった状態で圧迫や不快さを感じて無意識のうちに体を捻る場合、揺動パネル２００が同時に自動的に動くようにして、首のバランスを合わせることができるように整列するので、天井をまっすぐ見つめるように左右対称をなす姿勢を自動的に保つようにすることができる。
【００３９】
このため、前記ローラ部２１１、２３１は、スライド突起部２１０、２３０に複数備えられるようにして、レールアセンブリ１００で揺動パネル２００が容易にスライド移動するようにする構造を形成することができ、前記スライド突起部２１０、２３０には２つ以上のローラを装着してローラ部２１１、２３１が形成されるようにして、スライド運動が誘導されるように構成することができる。好ましくは、前記ローラ部２１１、２３１は、スライド突起部２１０、２３０の両側にそれぞれ２つずつ備えられるように構成することができる。
【００４０】
前記揺動パネル２００は、スライド突起部２１０、２３０に加えて、前記揺動パネル２００が頭を十分に支持するように剛性を維持させる少なくも一つの支持突起部２５０がさらに設けられた構造を持つことができる。
【００４１】
さらに、前記揺動パネル２００も、繊維強化プラスチックや強化プラスチックなどの高強度プラスチック、アルミニウム合金やマグネシウム合金などを含む軽量金属合金、一般金属合金などを素材として製造したものを使用することができる。好ましくは、前記揺動パネル２００は、強化プラスチックまたは繊維強化プラスチックを素材として製造したものを使用するようにして、運動機１０の軽量化及び高強度を達成することができるようにする。
【００４２】
本発明に係る頸椎自動調節運動機１０に備えられる受け本体部３００は、前記揺動パネル２００の上面に装着結合され、ユーザの首と頭が載置される空間を提供する役割を果たし、ユーザが横になっているか睡眠を取るときに床面と接触しない頚椎部位を安定的に支持して頚椎を保護し、正しい姿勢を保つことができるようにして快適な睡眠を実現することができる。
【００４３】
前記受け本体部３００は、前記揺動パネル２００の上面に装着できるように半円形状、Ｕ字状またはＣ字状などの湾曲構造を持ってユーザの首と頭の外周面を包んで収容することができる構造の様々な形状を有するものを使用することができる。好ましくは、前記受け本体部３００は、ユーザの首を支持する首支持部３１０と、ユーザの頭が載置される頭載置部３３０とを含む構造のものを使用することができる。
【００４４】
また、図２は本発明の一実施形態に係る受け本体部を示す（ａ）上面図及び（ｂ）側断面図である。
【００４５】
図１および図２（ａ）を参照すると、本発明の好適な一実施形態に係る受け本体部３００の首支持部３１０は、頚椎の形状と対応するように中央が凸状に隆起した構造を持つようして、首部分が載置されて頚椎をより安定的に支持することが可能な構造を形成することができるようにし、ユーザの首の外周面を安定的に支えることができるように両側部が隆起した屈曲構造を持っており、首部分の疲労度を減らすことができる構造のものを使用するのがよい。
【００４６】
前記頭載置部３３０は、上部と側部を首支持部３１０よりも上方に突出するように隆起した構造を形成して頭の側部全体を包み込むようにすることもでき、これにより、ユーザが睡眠またはお休みのときに安定感を有する構造を形成することができる。
【００４７】
また、図２（ａ）及び（ｂ）を参照すると、前記受け本体部３００の首支持部３１０には、内面に複数の加圧突起３５０がさらに備えられるように構成して、着用の際にユーザの首に位置した特定の部分が加圧されるようにして指圧効果を誘導するように構成することができ、断面直径０．５〜２．０ｃｍの円柱形または半球形構造の加圧突起３５０が備えられるように構成して指圧効果を向上させることができる。
【００４８】
また、前記受け本体部３００は、ポリプロピレン、ポリウレタン、ラテックスまたは通気性シリコン（ｏｐｅｎ  ｃｅｌｌ  ｓｉｌｉｃｏｎ）などを素材として製造したものを使用することができ、好ましくは、ユーザの体熱をスムーズに放出し、形状の長期維持性能などを考慮するとき、通気性シリコンで製造したものを使用することができる。
【００４９】
ちなみに、前記通気性シリコンは、非常に多くの気孔が設けられたシリコンであって、時間に応じて変化しない一定の硬さ（ｈａｒｄｎｅｓｓ）を提供し、水性が安定であり、半永久的にユーザの着用時に高低や角度などをそのまま維持し得るようにする。また、多量の気孔が表面に設けられており、頭から発生した熱を速やかに放出し且つ換気作用可能に作用して頭をいつも涼しい状態に保つことができるようにする。また、頭または首に加わる圧力が神経や筋肉、血管などに加わることを予防することができ、頭に熱が凝縮することを防止することができる。
【００５０】
または、前記受け本体部３００は、内部に空気が注入されたエアクッションの形で製造したものを使用することができ、前述したエアクッションは、首支持部３１０と頭載置部３３０がそれぞれ二つの部分に分かれて隔離されるように構成し、内部に充填された空気が連通しないようにし、これにより、ユーザが首にさらに大きな圧力が加わる状態であるときに顎が引かれる効果が誘導されるようにし、首部分に加わる圧力によって頭部分側へ空気が移動することを防止することができる。
【００５１】
一方、本発明の好適な一実施形態によって、前記レールアセンブリ１００’は、全体がモジュール化された構造で製作して、構成成分の交換がより容易な構造を持つように構成することができる。
【００５２】
図３は本発明の好適な一実施形態に係るレールアセンブリ１００’が備えられた頸椎自動調節運動機１０’を示す分解斜視図である。
【００５３】
図３を参照すると、前記第１レール１１０’は、複数の結合孔１１５ａが穿設され、一面に長さ方向に第１ガイド突起１１２が突設された湾曲形状の第１レールフレーム１１１と、第１レールフレーム１１１と対応する位置に複数の結合孔１１５ａ’が穿設され、第２ガイド突起１１７が長さ方向に突設された湾曲形状の第２レールフレーム１１６とを含むことができ、前記第１レールフレーム１１１と第２レールフレーム１１６とをそれぞれ結合させて内部に凹んだ構造を持つ第１ガイドレール溝１１９が備えられた第１レール１１０’を形成することができる。
【００５４】
前記第２レール１３０’も、第１レール１１０’と同じ構造のものを使用することができ、前記第２レール１３０’は、複数の結合孔１３５ａが穿設され、一面に第３ガイド突起（図示せず）が長さ方向に突設された湾曲形状の第３レールフレーム１３１と、前記第３レールフレーム１３１と対応する位置に複数の結合孔１３５ａ’が穿設され、第４ガイド突起（図示せず）が長さ方向に突設された湾曲形状の第４レールフレーム１３６とを含み、前記第３レールフレーム１３１と第４レールフレーム１３６とを結合させて第２ガイドレール溝１３９が形成された第２レール１３０’を形成することができる。
【００５５】
また、前述のようにレールフレーム１１１、１１６、１３１、１３６同士を連結部材１５０を用いて結合させてそれぞれの第１レール１１０’及び第２レール１３０’をそれぞれ形成する場合、前記第１乃至第４レールフレーム１１１、１１６、１３１、１３６に突設された第１乃至第４ガイド突起１１２、１１７（図示せず）には、それぞれ係止顎部（図示せず）がさらに設けられた構造を持つことができるので、後述する揺動パネル２００に備えられたローラ部２１１、２３１がレールアセンブリ１００’から離脱することを防止する構造を形成することができる。
【００５６】
上述したようなレールアセンブリ１００’には、前述した実施形態と同じ構造を持つ揺動パネル２００及び受け本体部３００が結合されるようにして、頸椎自動調節運動機１０が形成されるように構成することができる。
【００５７】
さらに、本発明に係るレールアセンブリ１００は、図１に示すように、第１レール１１０を構成する一体型フレーム部材の幅Ｗと第２レール１３０を構成する一体型フレーム部材の幅Ｗ’とがそれぞれ異なるものを使用するようにして、首支持部３１０の移動軌道の長さを頭載置部３３０の移動軌道よりも長くして、ユーザの姿勢が大きく変更されても首支持部３１０の遊動は大きいものの、頭載置部３３０の遊動は小さくしてユーザに安定的にバランスの取れた姿勢が誘導されるようにすることで、頚椎自動運動及び調節機能をさらに向上させるように構成することができる。
【００５８】
また、本発明の好適な一実施形態に係る第１レールフレーム１１１と第２レールフレーム１１６を含む第１レール１１０’と、第３レールフレーム１３１と第４レールフレーム１３６を含む第２レール１３０’も前述したような幅を持つように構成することで、同一の効果を実現することができる。
【００５９】
前述したような本発明に係る頸椎自動調節運動機１０は、レールアセンブリ１００の第１ガイドレール溝１１９と第２ガイドレール溝１３９に揺動パネルのローラ部２１１、２３１が装着されてスライド移動可能な構造を形成し、前記揺動パネル２００の上部には受け本体部３００が装着されるようにして、ユーザの首と頭を安定的に支持する構造を形成することができる。
【００６０】
上述したような結合状態でユーザが頚椎自動調節運動機１０を着用して横になっているか睡眠を取る途中で例えば横に寝帰るなど、体を左右に動かす場合、床面がフラットな従来の枕とは異なり、レールアセンブリ１００に装着された揺動パネル２００と受け本体部３００がレールアセンブリ２００上でスライド移動することによりユーザの頚椎を安定的に保護しながらユーザが安眠を取ることができるようにする。
【００６１】
この際、前記受け本体部３００はユーザの首と頭を安定的に支持する構造を形成して体と密着するので、揺動パネルが左右に回転する場合でも頭が受け本体部から脱落しない構造を形成して、ユーザが安定的に睡眠姿勢を保つことができる。
さらに、本発明に係る頸椎自動調節運動機１０は、前記結合孔１１５、１３５に結束されて連結支持棒１５１及び固定ボルト１５６を保護することができるように複数の保護キャップ１６０をさらに含むことができ、前記保護キャップ１６０は、優れた弾性を有するスチレンブタジエンゴム（ＳＢＲ）、天然ゴム（ＮＲ）またはエチレンプロピレンゴム（ＥＰＤＭ）などの素材を用いて製造したものを使用することができる。
【００６２】
上述したような本発明に係る頸椎自動調節運動機１０は、半円形状、Ｕ字状またはＣ字状などの湾曲構造を有するレールアセンブリ１００に設けられた第１ガイドレール溝１１９及び第２ガイドレール溝１３９に揺動パネルのローラ部２１１、２３１がスライド移動するように挿合され、揺動パネル２００の上面に受け本体部３００が装着結合されて完成される。
【００６３】
一般枕を用いて横になった姿勢でお休みまたは睡眠を取るときに圧迫または不便さを感じると、無意識のうちに体を捻るが、このような過程では、首と頭が一緒に動きながら頭蓋骨部位が楽な状態で中心を取ろうとし、この際、通常の動きであれば、首のバランス及び整列がずれてしまい、このような姿勢を長く保つ場合に頚椎や筋肉に負担を与える問題が発生する。
【００６４】
ところが、本発明に係る頸椎自動調節運動機は、着用後に睡眠またはお休みを取るとき、ユーザが左右対称をなす姿勢である、天井をまっすぐに見つめて横になる姿勢を保つように整列し、首のバランスを保つようにして正しく寝る姿勢を自然に維持させ、これにより、長期間使用した場合には、仰向けに眠る習慣を身につけるようにすることができる。
【００６５】
また、前記頚椎自動調節運動機１０は、上部頚椎部の動きを内部で作って矯正する効果があり、首の整列とバランスが自動的に得られるように誘導することができるだけでなく、頭部、頚椎部、上部胸椎部の整列及びバランス運動が自ずと起こるようにする。
【００６６】
前記揺動パネル２００は、半円形状、Ｕ字状またはＣ字状などの湾曲構造をなしており、ユーザの頭と首が左右に回転するときにも頭が揺動パネル上から脱落しなくなり、ユーザが安定な姿勢を取るようにすることができるのみならず、床面に接触する部分は面の狭い直線の形状を成しており、頭に接触する部分は頭の形に合わせてやや丸い曲線の形状を成しているため、後頭部の基底部を適切に圧迫する効果があり、後頭部の中心線全体を圧迫して頭蓋仙骨リズムを好転させ、自律神経系と中枢新軽系が活動できるようにする物理的な環境を提供し、筋骨格系の回復力を助ける。
【００６７】
特に、前記後頭部にある線維は、筋骨格系と内蔵系に問題があるとき、神経反射作用によって反応が現れる部位であって、本発明に係る頚椎自動調節運動機は、後頭部にある線維を著しく刺激することができるため、睡眠中またはお休み中でも神経系、筋骨格系、内蔵系の適切な神経反射調節効果を得ることができる。
【００６８】
また、前記受け本体部３００は、ユーザの首が載置される首支持部３１０からユーザの頭が載置される頭載置部３３０へ行くほど幅が広くなる構造を有することにより、下部に位置する揺動パネル２００が、首と頭のバランスがずれた動きを自動的に矯正し、２次的に上部頸椎部の動きを揺動パネル２００で矯正することにより、首の整列とバランスが自動的に得られるようになり、頭部、頚椎部、上部胸椎部の整列およびバランス運動も自ずと起こるようにし、使用中に呼吸をスムーズにするシステム構造を形成することができる。
【００６９】
上述したような頚椎自動調節運動機１０は、平らな床またはベッドの上に位置させ、揺動パネル２００上に受け本体部の頭載置部３３０が頭側を向くように装着し、首と肩の間が広がらないように頚椎自動調節運動機１０を引いて、まるで頭の下に枕を敷くかの如く自然に受け本体部３００に頭を載置させ、楽にお休みまたは睡眠を取るようにして使用することができる。
【００７０】
以下、本発明について実施例を挙げてさらに詳細に説明する。
提示された実施例は、本発明の具体的な例示に過ぎず、本発明の範囲を制限するためのものではない。
【実施例】
【００７１】
図３に示したような頚椎自動調節運動機が持つ効果を分析するために、身体力学研究を行った。
【００７２】
（１）ユーザの選択
頚椎自動調節運動機が持つ効果を分析するために、首や腰に関連する筋骨格系疾患の病歴がなく且つ健康状態が良好な２０代男性８人をユーザとして選定して身体力学研究を行った。実験誤差を最小限に抑えるために、いずれも右手を使用する人に選定し、ユーザの人体測定値は下記表１に示した。
【００７３】
【表１】
2020519424.tif 000003
【００７４】
（２）首の姿勢の分析
頚椎自動調節運動機を使用する場合に誘導される効果を分析するために、睡眠時に発生するユーザの首の姿勢の変化を分析した。このとき、市販の一般枕とメモリフォーム枕を対照群として使用した。
【００７５】
首の姿勢を分析するために、ユーザの８人全部に快適な衣服を着用するようにし、首の姿勢の変化の測定に必要な基準点（耳株点、肩線点、後頭部点、首後部点）を見つけて表示した後、電極付着点をアルコールで消毒（ａｌｃｏｈｏｌ  ｐｒｅｐａｒａｔｉｏｎ）し、６つのチャンネル（ｃｈａｎｎｅｌ）の表面電極（ｓｕｒｆａｃｅ  ｅｌｅｃｔｒｏｄｅ）をそれぞれ付着させた。
【００７６】
首の姿勢の変化を測定することに必要な基準点を表示し、ユーザを正しく立たせて写真撮影を実施し、運動機または枕を頭の下に敷いて仰向けに横になった姿勢で最も楽な姿勢を自ずと見つけるようにし、最も楽な姿勢を保つときに横になっている首の姿勢を再び撮影した。撮影の誤差を減らすために、カメラは三脚に固定して位置変化がないように設定した。
【００７７】
ちなみに、本発明の頚椎自動調節運動機または枕の機能の重要な要素は、ユーザが立っている状態で首の自然な姿勢を維持することである。首の自然な姿勢を保ったというのは、７つの頸椎が一直線に正しく整列されて頸椎の湾曲（ｃｅｒｖｉｃａｌ  ｃｕｒｖａｔｕｒｅ）状態をなしていることを意味する。しかし、頚椎が正しく整列されずに中心線から多く外れた場合、外れる方向と反対の方向にせん断力（ｓｈｅａｒ  ｆｏｒｃｅ）が発生し、頚椎の湾曲が乱れてしまう。このとき、せん断力とは、物体内の特定の面を基準に大きさが同じで方向が反対となるように面に沿って平行に作用する力を意味し、もし不適切な枕を使用した場合には、頚椎の湾曲が乱れるおそれがあり、乱れた部分で乱れた方向と反対の方向に剪断力が発生し、せん断力が発生すると頸椎の安定度が崩れることがある。よって、首の角度が０°に近いとき、頸椎は安定すると見られる。
【００７８】
上述したような条件を基準に３時間睡眠を取るようにし、正しく横になった姿勢での首の角度変化量を測定して平均値で示し、その結果を下記表２に示した。
【００７９】
【表２】
2020519424.tif 000004
【００８０】
表２に示すように、頚椎自動運動調節機を用いて睡眠を取るようにしたユーザの場合、一般枕及びメモリフォーム枕を用いて睡眠を取るようにしたユーザの場合に比べて首の角度変化量が著しく低いことを確認することができた。
【００８１】
これは、本発明の頚椎自動調節運動機を用いて睡眠をとる場合、姿勢が変更されても自動的に仰向けに横になって眠る姿勢を維持するように整列し、首のバランスを保つようにして正しく横になる姿勢を自然に維持させるため、最も自然な姿勢を保たせることができると判断された。
【００８２】
（３）体圧分布の測定
頚椎自動調節運動機を首の下に敷いて横になったときに体圧がどれほど均一に分布するかを測定するために、頭の表面に加わる圧力をセンサーを用いて測定した。圧力測定点は、後頭部点が交差する２箇所（Ｓ１及びＳ２）、後頭部突出点を基準に平行な２箇所（Ｓ３及びＳ４）、頭半棘筋（Ｓｅｍｉｓｐｉｎａｌ  ｃａｐｉｔｉｓ  Ｍ．）（Ｓ５）、横髪点と平行な仮想線を基準とした２箇所（Ｓ６及びＳ７）の合計７箇所（Ｓ１乃至Ｓ７）であり、測定の際に誤差を減らすためにユーザの頭の表面にセンサーを直接付着せずに、厚さが無視できる薄い布を用いてセンサーを固定付着した後に測定した。
【００８３】
ちなみに、特定の部分で体圧が高く現れるというのは、頚椎自動調節運動機または枕が頭の重量を分散させずに局部的に圧力が発生し、このような局部圧力が保持される場合、圧力点で疼痛を誘発する可能性があるものである。
筋肉の活動度分析において運動機または枕を用いて仰向けに横になった姿勢での筋肉の活動度が、頭の表面に体圧がどれほど分布するかを調べるために頭の表面体圧（ｇ／ｃｍ３）を測定し、その結果を下記表３に示した。
【００８４】
【表３】
2020519424.tif 000005
【００８５】
表３に示すように、一般枕、メモリフォーム枕及び運動機のいずれも、後頭部点と後頭部突出点に圧力が加わるという事実を確認することができ、メモリフォーム枕は、その形態の特性上、後頭部点などの特定の部分に圧力が集中的に加わって運動機と一般枕に比べて相対的に加わる体圧が高いことを確認することができた。
【００８６】
しかし、本発明の運動機を着用した場合には、一般枕またはメモリフォーム枕を使用したユーザに比べて頭の表面体圧がより均等に分布してバランスのある姿勢を維持するようにするという事実を確認することができた。
また、睡眠中に体を捻ったとき、本発明の頚椎自動調節運動機を使用した場合には、頭部を全体的に支持することができる適切な形態を維持し、体圧が一箇所に集中する現象が発生しないため、体圧が均一に分布することを確認することができ、これに対し、一般枕またはメモリフォーム枕を使用した場合には、体圧が一箇所に集中する現象が発生することを確認することができた。
【符号の説明】
【００８７】
１０    頸椎自動調節運動機
１００    レールアセンブリ
２００    揺動パネル
３００    受け本体部
【図１】
2020519424.tif 000006
【図２（ａ）】
2020519424.tif 000007
【図２（ｂ）】
2020519424.tif 000008
【図３】
2020519424.tif 000009
【国際調査報告】
2020519424.tif 000010
2020519424.tif 000011
2020519424.tif 000012
2020519424.tif 000013